(57)【特許請求の範囲】
【請求項１】
筆記具用インキを収容したレフィールを、軸筒内に配設した第１のコイルスプリングにより軸筒の後端方向へ付勢して摺動自在に配置し、ノック体を操作することにより、レフィール後端部に当接するノック体又はノック体に連動するレフィール押圧部材により、レフィール先端のペン先部を軸筒の先端開口部より出没可能なノック機構を備えたノック式筆記具であって、前記レフィール後端部に当接するノック体又はレフィール押圧部材と軸筒間に、該ノック体又はレフィール押圧部材を軸筒後端方向に付勢する、第２のコイルスプリングを配設するとともに、前記レフィール先端のペン先部を軸筒の先端開口部より突出した時に、前記ペン先部が下向きの状態で、前記ノック体が軸筒先端方向に移動していることを特徴とするノック式筆記具。
【請求項２】
前記レフィール押圧部材が、回転カムであることを特徴とする請求項１に記載のノック式筆記具。
【請求項３】
前記第１のコイルスプリングが、第２のコイルスプリングのスプリングの弾発力より小さいことを特徴とする請求項１または２に記載のノック式筆記具。
【請求項４】
前記ノック体の操作荷重を５００〜８００ｇに設定したことを特徴とする請求項１ないし３の何れか１項に記載のノック式筆記具。
【請求項５】
前記筆記具用インキが剪断減粘性を付与したインキであることを特徴とする請求項１ないし３の何れか１項に記載のノック式筆記具。
【発明の詳細な説明】
【０００１】
【発明の属する技術分野】
本発明は、軸筒内に摺動自在に配置したレフィールをスプリングにより軸筒の後端方向に付勢し、ノック体を操作することによりレフィール先端のペン先部を軸筒の先端開口部より出没可能なノック機構を備えたノック式筆記具に関する。
【０００２】
【従来技術】
従来より、筆記具用インキを収容したレフィールを、軸筒内にスプリングにより軸筒の後端方向へ付勢して摺動自在に配置し、ノック体を操作し、レフィール先端のペン先部を軸筒の先端開口部より出没可能なノック式筆記具のノック機構として、軸筒の係止部に、ノック機構部に形成した突部を係止し、ボタンによって解除する係止型のノック機構や回転カムの回転の作用を利用した回転カム機構等はよく知られている。
【０００３】
こうしたノック式筆記具においては、レフィール先端のペン先部を軸筒の先端開口部より突出した状態にしている場合では、ノック体も軸筒先端方向に移動した状態になる。レフィール先端のペン先部を軸筒の先端開口部より突出した状態で誤ってノック式筆記具をポケット等に装着したとしても、ノック体が軸筒先端方向に移動した状態であるために、ペン先部が突出した状態を目視で確認することができる。
【０００４】
その反面、ノック式筆記具においては、レフィール先端のペン先部を軸筒の先端開口部より突出した状態から没入する時に衝撃が発生する。このノック操作による衝撃が強すぎると、空気の飲み込みによるインキの逆流等、レフィールに悪影響を及ぼす。そのため、ノック操作荷重を低く設定する等、ノック操作による衝撃を少なくすることが求められている。
【０００５】
【発明が解決しようとする課題】
しかし、ノック操作荷重を低く設定すると、ノック体に手等が触れ知らぬ間にペン先部が軸筒の先端開口部より突出して、特に筆記具用インキが低粘度である水性インキや低粘度の油性インキの場合には、ポケットの布地等をインキで汚してしまうという問題が間々あった。だからといって、セーフティー機構を設けると、従来のノック機構にさらにセーフティー機構を付加することになり、構造が複雑となるという問題があった。
【０００６】
また、例えば、軸筒の後端開口部より外側に突出したノック体と、ノック体の先端部に設けたカム部と、回転カムと、軸筒の内壁面に形成したカム溝とで構成した回転カムによるノック機構において、カム溝やカム溝に係合する突起等は、寸法関係を厳密に設定する必要があり、寸法関係によってはノック機構が作動しなかったり、作動感触が悪いなどの問題が発生する恐れがある。
【０００７】
しかし、従来のノック機構の作動確認は、回転カム等、レフィールの後端部に当接する押圧部材を後端に付勢しなければ行うことができなかった。すなわちノック機構の作動確認は、押圧部材を後端に付勢するレフィールを配設した後でなければできない。
【０００８】
本発明者は上記問題を鑑み、ノック式筆記具において、従来のノック機構を踏襲することができ、ポケット等に装着した時に、軽くノック体に触れた程度ではペン先部が軸筒の先端開口部より突出することがなく、かつノック衝撃の少ないノック式筆記具を提供すること、さらに、レフィールを配設することなく、ノック機構の作動確認を行えるノック式筆記具を提供することを目的とするものである。
【０００９】
【課題を解決するための手段】
本発明は前記目的を達成するために、筆記具用インキを収容したレフィールを、軸筒内に配設した第１のコイルスプリングにより軸筒の後端方向へ付勢して摺動自在に配置し、ノック体を操作することにより、レフィール後端部に当接するノック体又はノック体に連動するレフィール押圧部材により、レフィール先端のペン先部を軸筒の先端開口部より出没可能なノック機構を備えたノック式筆記具であって、前記レフィール後端部に当接するノック体又はレフィール押圧部材と軸筒間に、該ノック体又はレフィール押圧部材を軸筒後端方向に付勢する、第２のコイルスプリングを配設するとともに、前記レフィール先端のペン先部を軸筒の先端開口部より突出した時に、前記ペン先部が下向きの状態で、前記ノック体が軸筒先端方向に移動しているものである。
【００１０】
さらには、前記レフィール押圧部材が、回転カムであることを特徴とするものである。
【００１１】
さらには、前記第１のコイルスプリングが、第２のコイルスプリングのスプリングの弾発力より小さいものである。
【００１２】
さらには、前記ノック体の操作荷重を５００〜８００ｇに設定するものである。
【００１３】
さらには、前記筆記具用インキを剪断減粘性を付与したインキと特定するものである。
【００１４】
本発明において、レフィール先端のペン先部を軸筒の先端開口部より出没可能なノック機構は、軸筒の係止部に、ノック機構部に形成した突部を係止し、ボタンによって解除する係止型のノック機構や回転カムの回転の作用を利用した回転カム機構等、ノック体を操作することによりペン先部を軸筒の先端開口部より出没可能な機構のことであり、特に限定するものではない。
【００１５】
また、ノック体の操作荷重とは、ノック体を操作してペン先部の突出状態を維持させるのに必要な押圧荷重で、ペン先部を備えたレフィールを軸筒の後端方向に付勢しているスプリングを縮める荷重と、レフィール押圧部材を軸筒の後端方向に付勢しているスプリングを縮める荷重と、ノック操作時のノック機構部に生じる部品間の摩擦力等とを総合した荷重である。操作荷重は、スプリングの弾発力に左右されるところが大きいので、現実問題としては、スプリングの弾発力を選定することにより、操作荷重を設定すればよい。操作荷重の測定は、プッシュプルスケールを用いて行い、計測軸端に先端が平坦なアタッチメントを取付けてノック体を押圧し、ペン先部の突出状態を維持させるのに必要な最大荷重を操作荷重とする。
【００１６】
【発明の実施の形態】
本発明の実施の形態を図面を用いて説明する。図１から図３に示す第１の実施の形態のノック式筆記具１は、後軸３に、後軸３の後端開口部３ａより外側に突出するように、ノック体（レフィル押圧部材）４を配設し、さらにボタン５を後軸３から突出するように順次配設する。また、第２のコイルスプリング８の一端部をノック体４の先端面４ｂに当接、他端部を後軸３に連設したスプリング受け部材６に当接させ、ノック体４を後軸３の後端開口部３ａ方向に付勢して収納する。ノック体４の先端外径はレフィール９の後端部の外径より大きく、さらに第２のコイルスプリング８の内径をレフィール９の後端部の外径より大きく設定し、第２のコイルスプリング８がレフィール９に当接しないようにしてある。後軸３には、クリップ１２を一体に設けてある。また、この状態で第２のコイルスプリング８、ノック体４、係止部４ａ、被係止部５ａ、によるノック機構Ｈ１を構成するので、ノック機構Ｈ１の作動確認を行うことができる。
【００１７】
さらに、前軸２内に、内部に剪断減粘性インキ（図示せず）を直詰めして収容し、先端にボールを回転自在に抱持したボールペンチップからなるペン先部１０を有したレフィール９を、第１のコイルスプリング７により前軸２の後端方向に付勢し摺動自在に配置する。前軸２には、グリップ部材１１を一体に設けてある。この前軸２と前記後軸３を螺合し、第１の実施の形態のノック式筆記具１を得ている。
【００１８】
ノック体４を押圧することにより、レフィール９が第１のコイルスプリング７の弾発力に抗して前進し、ノック体４に連設した係止部４ａが被係止部５ａに係止するノック機構Ｈが作用し、図２に示すようにペン先部１０が前軸２の先端開口部２ａより突出し、その状態を維持して筆記可能となる。さらに、ボタン５を押圧することにより、被係止部５ａに係止していた係止部４ａが解除され、ペン先部１０は前軸２の先端開口部２ａより没入する。ペン先部１０を維持するのに必要なノック体４の操作荷重は、プッシュプルスケ−ルで測定した結果、６００ｇであった。
【００１９】
ノック体４を押圧する時には、レフィール９を後方に付勢する第１のコイルスプリング７と、ノック体４を後端に付勢する第２のコイルスプリング８を圧縮する必要がある。そのためノック体４を押圧する操作荷重は少なくとも、第１のコイルスプリング７と第２のコイルスプリング８の総和となる。しかしながらペン先部１０を前軸２の先端開口部２ａより突出した状態から没入する時にレフィール９に加わる衝撃は、レフィール９が第１のコイルスプリング７のみで付勢されているため、コイルスプリング７のみに依存する。第２のコイルスプリング８を取り外し、第１のコイルスプリング７のみの状態でプッシュプルスケ−ルで測定した結果、ノック体４の操作荷重は１５０ｇであった。
【００２０】
図４から図６に示す第２の実施の形態のノック式筆記具２１は、後軸２３に、後軸の後端開口部２３ａより外側に突出するように、先端にカム部（図示せず）を有するノック体２４を配設し、さらに回転カム（レフィール押圧部材）２５を、回転カム２５の突起２５ａが後軸２３内に形成したカム溝（図示せず）に係合するように順次配設する。また、第２のコイルスプリング２８の一端部を回転カム２５の先端面２５ｂに当接、他端部を後軸２３に連設したスプリング受け部材２６に当接させ、回転カム２５を後軸２３の後端開口部２３ａ方向に付勢して収納する。また、この状態で第２のコイルスプリング２８、ノック体２４、カム部（図示せず）、カム溝（図示せず）、回転カム２５によるノック機構Ｈ２を構成するので、ノック機構Ｈ２の作動確認を行うことができる。
【００２１】
さらに、前軸２内に、内部に剪断減粘性インキ（図示せず）を直詰めして収容し、先端にボールを回転自在に抱持したボールペンチップからなるペン先部１０を有したレフィール９を、第１のコイルスプリング２７により前軸２の後端方向に付勢し摺動自在に配置する。前軸２には、グリップ部材１１を一体に設けてある。この前軸２と前記後軸２３を螺合し、第２の実施の形態のノック式筆記具２１を得ている。
【００２２】
ノック体２４を押圧することにより、回転カム２５を用いたノック機構Ｈ２が作動し、レフィール９が第１のコイルスプリング２７の弾発力に抗して前進し、図５に示すようにペン先部１０が前軸２の先端開口部２ａより突出し、その状態を維持して筆記可能となる。さらに、再度ノック体２４を押圧することにより、ペン先部１０は前軸２の先端開口部２ａより没入する。ペン先部１０を維持するのに必要なノック体２４の操作荷重は、プッシュプルスケ−ルで測定した結果、６００ｇであった。
【００２３】
ノック体２４を押圧する時には、レフィール９を後方に付勢する第１のコイルスプリング２７と、回転カム２５を後端に付勢する第２のコイルスプリング２８を圧縮する必要がある。そのためノック体２４を押圧する操作荷重は少なくとも、第１のコイルスプリング２７と第２のコイルスプリング２８の総和となる。しかしながらペン先部１０を前軸２の先端開口部２ａより突出した状態から没入する時にレフィール９に加わる衝撃は、レフィール９がコイルスプリング２７のみで付勢されているため、コイルスプリング２７のみに依存する。第２のコイルスプリング２８を取り外し、第１のコイルスプリング２７のみの状態でプッシュプルスケ−ルで測定した結果、ノック体２４の操作荷重が１５０ｇであった。
【００２４】
ところで、前述したように回転カムによるノック式筆記具においては、カム溝やカム溝に係合する突起等は、寸法関係を厳密に設定する必要があり、寸法関係によってはノック機構が作動しなかったり、作動感触が悪いなどの問題が発生し易いので本発明の効果は特に顕著である。
【００２５】
尚、操作荷重は、従来のノック式筆記具においては、ノック体の操作荷重がノック機構における操作性から、２００ｇ以上、３００ｇ以下にだいたい設定されていた。ノック操作荷重について検討した結果、５００ｇより低いとノック体に軽く手等が触れた程度でペン先部が突出してしまう恐れがあり、８００ｇより高い荷重ではノック体の操作性が悪くなり、またペン先部を軸筒内に没入させる際の衝撃により、空気の飲み込みによるインキの逆流等、レフィールに悪影響を及ぼす恐れがあるので、５００〜８００ｇに設定するほうが好ましい。また、ノック作動による衝撃を少なくするため第１のコイルスプリングのみの操作荷重は２００ｇ未満に設定するほうが好ましい。
【００２６】
本発明に使用する筆記具用インキは特に限定されるものではないが、静的には粘度が高く、筆記時にボールの回転等により粘度が低くなる剪断減粘性を付与したインキ、いわゆるゲルインキと呼ばれているインキは、レフィール内に水性インキの時のように中綿状のインキ収蔵体等を用いずに直詰めして収容する。従って、ノック式筆記具として提供した場合、前述したように知らぬ間にペン先部が軸筒の先端開口部より突出して、ペン先部のボールがポケットの布地等に擦られて回転すること等により、ペン先部に存する剪断減粘性を付与したインキの粘度が低下してしまうので布地への染み込みは、著しいものがあり、本発明は特に効果が顕著である。
【００２７】
本発明のノック式筆記具に用いるノック機構は特に限定されるものではないが、レフィール押圧部材の先端にコイルスプリングを配設し、レフィール先端のペン先部を軸筒の先端開口部より突出した時に、ノック体も軸筒先端方向に移動した状態になることが肝要である。
【００２８】
【発明の効果】
本発明のノック式筆記具は前述した構成なので、従来のノック機構を踏襲することができ、ポケット等に装着した時に、軽くノック体に触れた程度ではペン先部が軸筒の先端開口部より突出することがなく、かつノック衝撃の少ないノック式筆記具を提供すること、さらに、レフィールを配設することなく、ノック機構の作動確認を行えるノック式筆記具を提供することができた。
【図面の簡単な説明】
【図１】第１の実施の形態のノック式筆記具を示す縦断面図である。
【図２】図１における、ペン先部が突出した状態を示す縦断面図である。
【図３】図１における、要部拡大断面図である。
【図４】第２の実施の形態のノック式筆記具を示す縦断面図である。
【図５】図４における、ペン先部が突出した状態を示す縦断面図である。
【図６】図４における、要部拡大断面図である。
【符号の説明】
１、２１  ノック式筆記具
２  前軸
２ａ  先端開口部
３、２３  後軸
４  ノック体
４ａ  係止部
５  ボタン
５ａ  被係止部
６、２６  スプリング受け部材
７、２７  第１のコイルスプリング
８、２８  第２のコイルスプリング
９  レフィール
１０  ペン先部
１１  グリップ部材
２４  ノック体
２５  回転カム（レフィール押圧部材）
Ｈ１、Ｈ２  ノック機構
【図１】
0003960854.tif 000002
【図２】
0003960854.tif 000003
【図３】
0003960854.tif 000004
【図４】
0003960854.tif 000005
【図５】
0003960854.tif 000006
【図６】
0003960854.tif 000007